(57)【要約】【課題】  指向性が高い指針照明用光源を用いることにより、指針の回動による輝度ムラが小さい指示計器装置を提供する。【解決手段】  指針２５は、表示板２２を指示する指示部３０を有する。指針駆動手段２６は、指針２５を回動させる。レーザー光源２３は、レーザー光Ｌを発する。反射部材２４は、レーザー光Ｌを反射させる。反射面３０ａは、反射部材２４にて反射されたレーザー光Ｌを指示部３０の先端方向に反射させる。反射面３０ａは、指針２５の回動軸Ａ上に配置されている。【選択図】  図１
2011047845.tif 000002
【特許請求の範囲】
【請求項１】
表示板と、前記表示板を指示する指示部を有する指針と、前記指針を回動させる指針駆動手段と、を備えた指示計器装置であって、
レーザー光を発するレーザー光源と、前記レーザー光を反射させる反射部材と、前記反射部材にて反射された前記レーザー光を前記指示部の先端方向に反射させる反射面と、を備えたことを特徴とする指示計器装置。
【請求項２】
前記反射面は、前記指針の回動軸上に配置されていることを特徴とする請求項１に記載の指示計器装置。
【発明の詳細な説明】
【技術分野】
【０００１】
本発明は、指針にて表示板を指示する指示計器装置に関するものである。
【背景技術】
【０００２】
従来より、指示計器装置が種々提案されており、例えば特許文献１に開示されている。斯かる指示計器装置は、発光ダイオードからなる指針照明用光源が発した光にて指針の指示部を光輝させるものであり、指針照明用光源１つに対して、指針照明用光源からの光を集光させる複数の受光部を設けた導光体を配設し、導光効率を上げることにより、指針照明用光源の個数を低減するものである。
【先行技術文献】
【特許文献】
【０００３】
【特許文献１】特開２００１−２１５１３８号公報
【発明の概要】
【発明が解決しようとする課題】
【０００４】
しかしながら、指針照明用光源である発光ダイオードは指向性が低いため、実際に指針照明に用いられる光量は少なく、導光効率は低いものであり、指針の指示部を高輝度で光輝させるためには、複数の指針照明用光源を配設しなければならないという問題を有していた。
本発明は、この問題に鑑みなされたものであり、指向性が高い指針照明用光源を用いることにより、指針の指示部を高輝度で光輝させることができる指示計器装置を提供するものである。
【課題を解決するための手段】
【０００５】
本発明は、前記課題を解決するため、表示板２２と、前記表示板２２を指示する指示部３０を有する指針２５と、前記指針２５を回動させる指針駆動手段２６と、を備えた指示計器装置であって、レーザー光Ｌを発するレーザー光源２３と、前記レーザー光Ｌを反射させる反射部材２４と、前記反射部材２４にて反射された前記レーザー光Ｌを前記指示部３０の先端方向に反射させる反射面３０ａと、を備えたものである。
【０００６】
また、本発明は、前記反射面３０ａは、前記指針２５の回動軸Ａ上に配置されているものである。
【発明の効果】
【０００７】
指向性が高いレーザー光源を指針照明用光源として用いることにより、単一の指針照明用光源にて、指針の指示部を高輝度で光輝させることが可能になる。
【図面の簡単な説明】
【０００８】
【図１】本発明の実施形態を示す要部拡大断面図。
【図２】同上実施形態を示す正面図。
【図３】同上実施形態を示す断面図。
【図４】同上実施形態を示す指示部の正面図。
【発明を実施するための形態】
【０００９】
以下、添付図面に基づいて、本発明の一実施形態を説明する。１１はハウジングであり、このハウジング１１には後述する指示計器が収容されている。１２は見返し部材であり、この見返し部材１２は図示しない係止爪によりハウジング１１に係止されている。１３は透光性樹脂からなる透光性カバーであり、この透光性カバー１３は図示しない係止爪により見返し部材１２に係止されている。透光性カバー１３は湾曲した形状となっており、後述する指示計器側に凸となっている。
【００１０】
ハウジング１１には４個の指示計器、即ち、燃料計１４ａ，速度計１４ｂ，回転計１４ｃ，水温計１４ｄが収納されている。速度計１４ｂ及び回転計１４ｃは、燃料計１４ａ及び水温計１４ｄよりも大きくなっており、燃料計１４ａ及び水温計１４ｄの間に配置されている。見返し部材１２は、燃料計１４ａ，速度計１４ｂ，回転計１４ｃ，水温計１４ｄに対応する円形の開口１２ａ，１２ｂ，１２ｃ，１２ｄを有している。
【００１１】
各指示計器１４ａ，１４ｂ，１４ｃ，１４ｄは、表示板２２，レーザー光源２３，反射部材２４，指針２５，ステッピングモータ（指針駆動手段）２６，回路基板２７，遮光部材２８を備えている。表示板２２は指針２５に指示される指標部等の固定表示部２８を有している。レーザー光源２３は半導体レーザーからなるものであり、回路基板２７と略平行なレーザー光Ｌを発する。反射部材６は、平面ミラーからなるものであり、レーザー光源２３が発したレーザー光Ｌを後述する反射面に向けて反射させる。レーザー光源２３及び反射部材２４は表示板２２の後方に配置されている。
【００１２】
指針２５は、指示部３０と、ボス部３１と、指針キャップ３２とを有している。指針２５の指示部３０は、透光性樹脂からなるものであり、反射部材２４により反射されたレーザー光Ｌを先端部３０ｂに反射させる曲面からなる反射面３０ａを有している。反射部材２４で反射されたレーザー光Ｌは、指針２５の反射面３０ａと指針２５の回動軸Ａとが交差する点Ｐに照射される。指針２５はステッピングモータ２６により回動され、表示板２２の指標部２８を指示する。レーザー光源２３が発したレーザー光Ｌは反射部材２４により反射面３０ａに向けて反射され、更に反射面３０ａで先端部３０ｂに向けて反射され、指針２５の指示部３０が光輝する。
【００１３】
ステッピングモータ２６は、指針２を回動させる軸部２６ａを有しており、この軸部２６ａに指針２５のボス部３１が圧入されている。レーザー光源２３及びステッピングモータ２６は、回路基板２７に搭載されている。遮光部材２８は不透明な樹脂からなるものであり、反射部材２４で反射されたレーザー光Ｌが通過する筒状になっている。遮光部材２８には、レーザー光源２３が発したレーザー光Ｌが通過する開口部２８ａが形成されており。反射部材２４は遮光部材２８の内側に配置されている。
【００１４】
本実施形態によれば、指向性が高いレーザー光源２３を指針照明用光源として用いることにより、指針２５の指示部３０を高輝度で光輝させることができる。また、反射部材２４で反射されたレーザー光Ｌを、指針２５の反射面３０ａと回動軸Ａが交差する点Ｐに照射することが望ましく、指針２５の回動による輝度ムラを小さくすることができる。
【００１５】
なお、本発明は、本実施形態に限定されるものではなく、種々の変形が可能であり、例えば、本実施形態の指針駆動手段はステッピングモータ２６であったが、交差コイル型ムーブメント等であっても良い。
【符号の説明】
【００１６】
２２    表示板
２３    レーザー光源
２４    反射部材
２５    指針
２６    ステッピングモータ（指針駆動手段）
３０    指示部
３０ａ  反射面
Ｌ    レーザー光
Ａ    回動軸
【図１】
2011047845.tif 000003
【図２】
2011047845.tif 000004
【図３】
2011047845.tif 000005
【図４】
2011047845.tif 000006